(57)【要約】【課題】少量の排水が流れてきた場合でも、排水を薬剤に接触させて薬剤成分を確実に下方に流して、ヌメリを除去できるようにし、これにより、大量の薬剤を使用しなくても、ヌメリの除去を可能にすることで、商品の価格が高くなるといった問題や薬剤を収容するための作業が面倒になるといった問題を解消することのできる排水口用ヌメリ取り器を提供する。【解決手段】進入部９から流出口８に向かって排水が流れる円形リング状のリング体３を備えて、このリング体３の内部に全周にわたって通水路４を形成すると共に、このリング体３の通水路４に流入口１０を介して連通する収容室１１を形成した薬剤収容部１２を複数備えて、この複数の薬剤収容部１２の収容室１１に少なくともヌメリの除去作用及び又はヌメリの予防作用を有する薬剤１３を収容した排水口用ヌメリ取り器にする。【選択図】図３
2008127776.tif 000002
【特許請求の範囲】
【請求項１】
進入部９から流出口８に向かって排水が流れる円形リング状のリング体３を備えて、このリング体３の内部に全周にわたって通水路４を形成すると共に、このリング体３の通水路４に流入口１０を介して連通する収容室１１を形成した薬剤収容部１２を複数備えて、この複数の薬剤収容部１２の収容室１１に少なくともヌメリの除去作用及び又はヌメリの予防作用を有する薬剤１３を収容したことを特徴とする排水口用ヌメリ取り器。
【請求項２】
前記複数の薬剤収容部１２にあっては、その個数を２個乃至６個としたことを特徴とする請求項１記載の排水口用ヌメリ取り器。
【請求項３】
前記リング体３の通水路４に周方向に向かう仕切り壁５を設けて通水路４を二分割して、一方を進入部９から排水が薬剤収容部１２の収容室１１に流れ込むための進入用水路６にすると共に、他方を薬剤収容部１２の収容室１１から排水が流出口８に流れて流出口８より排出するための排出用水路７にしたことを特徴とする請求項１乃至請求項２記載の排水口用ヌメリ取り器。
【請求項４】
前記リング体３における進入用水路６の底面２２を、薬剤収容部１２の収容室１１に向かって低くなるような傾斜を付けたことを特徴とする請求項３記載の排水口用ヌメリ取り器。
【請求項５】
前記リング体３における排出用水路７の底面２３を、流出口８が設けられる側に向かって低くなるような傾斜を付けたことを特徴とする請求項３乃至請求項４記載の排水口用ヌメリ取り器。
【請求項６】
前記リング体３の通水路４における進入用水路６及び排出用水路７の幅寸法を、１ｍｍ以上１０ｍｍ以下にしたことを特徴とする請求項３乃至請求項５記載の排水口用ヌメリ取り器。
【請求項７】
前記リング体３の上部外周にわたってフランジ１４を備えたことを特徴とする請求項１乃至請求項６記載の排水口用ヌメリ取り器。
【発明の詳細な説明】
【技術分野】
【０００１】
本発明は、台所の流し台における排水口や風呂場における排水口等に設置して、これらの排水口のヌメリを除去したり、あるいはヌメリの発生を予防したりする排水口用ヌメリ取り器に関する。
【背景技術】
【０００２】
従来、台所の流し台における排水口等に設置して、この排水口におけるヌメリ除去あるいはヌメリ発生予防を行う排水口用ヌメリ取り器としては、例えば、特許第３４７７３７３号公報に記載されたものが知られていた。
【０００３】
これは、排水口内に設置したストレーナの上に取り付け可能となるものであって、円形状のリング体を備えると共に、ストレーナの上に取り付けるためのフランジをリング体の上端外周に形成した構成とし、リング体には全周において上下方向に貫通する上下流路を多数形成し、この多数の上下流路のうちの一部にヌメリを除去するための薬剤を保持するようにしていた。
【０００４】
この排水口用ヌメリ取り器にあっては、排水口に流れてきた排水が当該排水口用ヌメリ取り器におけるリング体内に流れ込み、リング体に形成した多数の上下流路によって排水がそのまま通過して下方へと流れ出すが、多数の上下流路のうち薬剤を保持した箇所においては流れ込んだ排水が薬剤と接触して薬剤を溶解し、溶解した薬剤成分を排水と共に下方に流して、ストレーナに薬剤成分を流すようにし、これによって、ストレーナ等のヌメリを除去するようにしていた。
【０００５】
【特許文献１】特許第３４７７３７３号公報
【発明の開示】
【発明が解決しようとする課題】
【０００６】
かかる従来の排水口用ヌメリ取り器にあっては、多量の排水が流れてきた場合は、リング体の薬剤を保持した箇所にも排水が流れて、排水が薬剤と接触し、薬剤を溶解して薬剤成分を下方に流すことで、ヌメリを除去することができるが、少量の排水が流れてきた場合は、確実にリング体の薬剤を保持した箇所に排水を流すことができず、薬剤を保持した箇所以外の上下流路に排水が流れてしまうと、排水は薬剤に接触することなく上下流路をそのまま通過して下方へと流れてしまい、薬剤成分を下方に流すことができなくなり、このため、ヌメリの除去ができないといった問題が生じるおそれがあった。
【０００７】
そこで、このような問題を解消するため、リング体に形成した多数の上下流路の全部に薬剤を保持するようにすれば、少量の排水が流れてきても、この排水が薬剤と接触することなく上下流路をそのまま通過して下方へと流れてしまうといったことをなくして、排水を薬剤に接触して薬剤成分を確実に下方に流すことができるが、このようにした場合、今度は大量の薬剤が必要となり、商品の価格が高くなるといった問題が生じたり、あるいは薬剤がなくなり再び使用するためにリング体内に薬剤を収容する際、大量の薬剤を収容するために、その作業が極めて面倒になるといった問題が生じるおそれがあった。
【０００８】
本発明は、これらの問題を鑑み、少量の排水が流れてきた場合でも、排水を薬剤に接触させて薬剤成分を確実に下方に流して、ヌメリを除去できるようにし、これにより、大量の薬剤を使用しなくても、ヌメリの除去を可能にすることで、商品の価格が高くなるといった問題や薬剤を収容するための作業が面倒になるといった問題を解消することのできる排水口用ヌメリ取り器を提供することを、その課題とする。
【課題を解決するための手段】
【０００９】
第一の発明は、進入部から流出口に向かって排水が流れる円形リング状のリング体を備えて、このリング体の内部に全周にわたって通水路を形成すると共に、このリング体の通水路に流入口を介して連通する収容室を形成した薬剤収容部を複数備えて、この複数の薬剤収容部の収容室に少なくともヌメリの除去作用及び又はヌメリの予防作用を有する薬剤を収容した排水口用ヌメリ取り器である。
【００１０】
第二の発明は、第一の発明において、前記複数の薬剤収容部にあっては、その個数を２個乃至６個とした排水口用ヌメリ取り器である。
【００１１】
第三の発明は、第一乃至第二の発明において、前記リング体の通水路に周方向に向かう仕切り壁を設けて通水路を二分割して、一方を進入部から排水が薬剤収容部の収容室に流れ込むための進入用水路にすると共に、他方を薬剤収容部の収容室から排水が流出口に流れて流出口より排出するための排出用水路にした排水口用ヌメリ取り器である。
【００１２】
第四の発明は、第三の発明において、前記リング体における進入用水路の底面を、薬剤収容部の収容室に向かって低くなるような傾斜を付けた排水口用ヌメリ取り器である。
【００１３】
第五の発明は、第三乃至第四の発明において、前記リング体における排出用水路の底面を、流出口が設けられる側に向かって低くなるような傾斜を付けた排水口用ヌメリ取り器である。
【００１４】
第六の発明は、第三乃至第五の発明において、前記リング体の通水路における進入用水路及び排出用水路の幅寸法を、１ｍｍ以上１０ｍｍ以下にした排水口用ヌメリ取り器である。
【００１５】
第七の発明は、第一乃至第六の発明において、前記リング体の上部外周にわたってフランジを備えた排水口用ヌメリ取り器である。
【発明の効果】
【００１６】
本発明によれば、リング体の内部に全周にわたって通水路を形成したことで、例えば少量の排水が流れてきて、リング体における一部の箇所にしか排水が流れ込まなくても、通水路によって薬剤収容部の収容室に確実に流すことができる。これにより、少量の排水でも収容室に確実に流して、この収容室に収容した薬剤を溶解することができ、溶け出した薬剤成分を外部に排出することができる。
【００１７】
また、本発明によれば、リング体の内部に全周にわたって通水路を形成すると共に、このリング体の通水路に連通する収容室を形成した薬剤収容部を複数備えたことで、薬剤収容部の収容室の薬剤より溶け出した薬剤成分を、通水路を介してリング体の全周に流して外部に排出することができ、ヌメリの除去及び又はヌメリの予防を良好に行うことができる。
【００１８】
さらに、薬剤収容部の個数を２個乃至６個程度にすることにより、大量の薬剤の使用をなくして、商品の価格を安価にすることができると共に、薬剤がなくなり再び使用するために薬剤を収容する際でも、薬剤の個数が少ないので、その作業を容易なものにすることができる。
【発明を実施するための最良の形態】
【００１９】
本発明による排水口用ヌメリ取り器の一実施形態について説明する。なお、この排水口用ヌメリ取り器は、台所の流し台における排水口内において、内部に設置したストレーナの上方部位に設置するようにしたものである。なお、このストレーナの上方部位とは、例えば、ストレーナから少し離間した排水口の入口部又は上部、あるいはストレーナの上等である。
【００２０】
この排水口用ヌメリ取り器にあっては、図１、図２、図３に示すように、本体１と蓋体２との二つの部材から構成している。
【００２１】
本体１は、円形リング状のリング体３を備え、リング体３はその内部に全周にわたって二分割した通水路４を形成している。この通水路４はリング体３の幅方向略中央に周方向に向かう仕切り壁５を設けて通水路４を内側と外側とに二分割し、一方である内側を進入用水路６、他方である外側を排出用水路７にしている。そして、排出用水路７の外側下部であるリング体３の外周下部に全周にわたって等間隔に流出口８を多数設ける。この流出口８の数としては、具体的には１２個であるが、これに限定されるものではない。しかしながら、全体にむらなく薬剤成分を流すということを考慮すれば、流出口８の形状にもよるが、できれば６個以上の多数個が好ましい。
【００２２】
前記進入用水路６は、上部を排水が進入する進入部９とし、この進入部９から進入した排水が当該進入用水路６を経て後述する薬剤収容部１２の収容室１１に流れ込むようにしている。
【００２３】
前記排出用水路７は、後述する薬剤収容部１２の収容室１１からの排水が当該排出用水路７を経てリング体３の外周下部に多数設けた流出口８に流れて、この流出口８より外部に排出されるようにしている。
【００２４】
これにより、このリング体３にあっては、その内部に形成した進入用水路６と排出用水路７とからなる通水路４によって進入部９から流出口８に向かって排水が流れるようになっている。さらに、この進入用水路６と排出用水路７とにあっては、その幅寸法を、１ｍｍ以上１０ｍｍ以下にするのが良い。
【００２５】
そして、本体１は、リング体３における通水路４の進入用水路６に流入口１０を介して連通する収容室１１を形成した薬剤収容部１２をリング体３の内側に備え、この薬剤収容部１２は等間隔に３ヶ所、要するに３個備える。なお、この薬剤収容部１２の個数としては３個であるが、これに限定されるものではなく、複数個であれば良い。ただし、従来の問題点であった大量の薬剤を使用しなくてはならないといったこと等を考慮すると、あまり多数の薬剤収容部１２を備えることは好ましくなく、内部に収容する薬剤１３の大きさ等にもよるが、できれば２個乃至６個程度にするのが最適である。
【００２６】
そして、図４に示すように、この３ヶ所の薬剤収容部１２の収容室１１それぞれに少なくともヌメリの除去作用及び又はヌメリの予防作用を有する薬剤１３を収容する。この薬剤１３は収容室１１内に流れ込んできた排水と接触することによって溶解が起こり、薬剤成分が溶け出すようになっている。なお、この薬剤１３にあっては、ヌメリの除去作用を有するもの、又はヌメリの予防作用を有するもののどちらか一方の作用だけを有するものでも良いし、あるいはヌメリの除去作用とヌメリの予防作用の両作用を有するものでも良い。そして、両作用を有する場合、薬剤１３は、それぞれの成分を混合するようにしても良いし、あるいはそれぞれの成分を分けた二層構造にしても良い。この二層構造のものについては、ヌメリの除去作用を有するものとヌメリの予防作用を有するものとを固着するようにしても良いし、また、一方のものの上に他方のものを単に重ねて置くようにしても良い。さらに、この薬剤１３には、これらの成分以外に、例えば、消臭成分や洗浄成分等の他の成分を混ぜるようにしても良い。
【００２７】
さらに、図１、図２、図３に示すように、本体１は、リング体３の上端の外周にフランジ１４を備えて、このフランジ１４により当該排水口用ヌメリ取り器を台所の流し台における排水口に取り付くように設置することができる。なお、排水口の大きさが多少異なっていても、このフランジ１４によって排水口内に当該排水口用ヌメリ取り器が落下することなく設置することができる。
【００２８】
また、図１や図３に示すように、本体１は、リング体３の内周に排水誘導面１７を備え、この排水誘導面１７は本体１の中心部に向かって低くなる傾斜面にしている。そして、この排水誘導面１７の先には排水用出口１８を設けて、大量の排水が流れてきた場合、この排水用出口１８より排水口内に排水が流れ込むようになる。これにより、排水口内に設置したストレーナの内部に溜まったゴミ等が直接見えるのをなくすことができ、美感的にも良好な状態にすることができる。なお、このリング体３の内周に備えた排水誘導面１７と排水用出口１８については、必ず備えるものではなく、図５に示すように、これを備えないような構造のものにしても良い。
【００２９】
一方、蓋体２は、リング体３の通水路４と薬剤収容部１２との上部を覆うようになる平板の円形リング状となり、リング体３における通水路４の進入用水路６の上部に相当する箇所には略全周にわたって小穴１５を多数設けると共に、薬剤収容部１２における縁の一部の上部に相当する箇所にも小穴１５を多数設けて、ここより排水の進入を可能にすると共に、不要なゴミ等の進入を防止している。なお、この小穴１５にあっては、これに限定されるものではなく、スリット状の穴等のゴミ等の進入を防止して排水のみが進入するような穴であれば他の形状のものでも良い。また、この蓋体２は、リング体３における通水路４の排出用水路７の上部は塞いで、ここからの排水の進入を防ぐようにしている。さらに、この蓋体２には、その薬剤収容部１２の上部を覆う箇所に薬剤収容部１２における収容室１１を形成するための略Ｃ字形となる収容室用壁片１６を垂下するように設け、この収容室用壁片１６の下端と薬剤収容部１２の底面２１との間が流入口１０となる。
【００３０】
そして、図６に示すように、本体１のリング体３における進入用水路６にあっては、その底面２２を、薬剤収容部１２の収容室１１に向かって低くなる傾斜を付けて、この傾斜は、隣接する薬剤収容部１２の中間部を一番高くして、ここから両側の薬剤収容部１２の収容室１１に向かって傾斜させている。これにより、リング体３のどのような位置の進入部９から排水が進入しようとも、進入用水路６の傾斜を付けた底面２２によって、排水が必ず薬剤収容部１２の収容室１１に流入口１０より流れ込むようになる。
【００３１】
また、図７に示すように、本体１のリング体３における排出用水路７にあっては、その底面２３を、流出口８が設けられる側、すなわちリング体３の外側に向かって低くなるような傾斜を付けて、この傾斜は、図８や図９に示すように、僅かではあるが、リング体３の外側に向かって真っ直ぐ傾く傾斜にし、さらに、薬剤収容部１２の底面２１においても同様に傾斜を付けている。これにより、流入口１０より薬剤収容部１２の収容室１１に流れ込んできた排水とともに、収容室１１に収納した薬剤１３から溶け出した薬剤成分が、リング体３の外周下部に設けた流出口８に極めて良好に流れて、この流出口８から外部へと排出するようになる。
【００３２】
なお、前記進入用水路６の底面２２と排出用水路７の底面２３とに付けた傾斜については、真っ直ぐ傾いた傾斜にしていたが、これに限定されるものではなく、例えば、排出用水路７の底面２３では、図１０に示すように、曲面状の傾斜にしても良く、また、進入用水路６の底面２２では、階段状にしても良い。
【００３３】
また、この進入用水路６と排出用水路７とにあっては、その底面２２，２３を必ずしも傾斜を付けるようにしなくても良く、どちらか一方のみに、あるいは傾斜を付けずに水平状にしても良い。これについては、傾斜を付けずに水平状にした場合、薬剤収容部１２の収容室１１への排水の流れ込みや流出口８からの薬剤成分の排出が多少は悪くなるが、傾斜を付けずに水平状にしたとしても、進入用水路６や排出用水路７としての機能を果たすことは十分可能である。
【００３４】
次に、この排水口用ヌメリ取り器における使用状態について説明する。
本発明による排水口用ヌメリ取り器を、台所の流し台における排水口内において、内部に設置したストレーナの上方部位に設置する。
【００３５】
そして、流し台を使用して水を流すと、流した水が排水として排水口内へと流れ、流れてきた排水の一部あるいは全部が、蓋体２に設けた多数の小穴１５を経て進入部９より進入してリング体３内部の通水路４の進入用水路６に流れ込む。なお、大量の排水が流れてきた場合は、一部の排水を除いてリング体３の内周に備えた排水誘導面１７を経て排水が排水用出口１８より排水口内に流れ込む。
【００３６】
一方、リング体３内部の進入用水路６に流れ込んだ排水は、進入用水路６における傾斜を付けた底面２２に沿って薬剤収容部１２の収容室１１に向かい、そして、薬剤収容部１２の収容室１１内に流入口１０より流れ込む。
【００３７】
薬剤収容部１２の収容室１１内に流れ込んだ排水は、収容室１１に収容した薬剤１３と接触し、排水が薬剤１３と接触することにより薬剤１３において溶解が起こり、薬剤１３より薬剤成分が溶け出す。そして、溶け出した薬剤成分は排水とともに、排出用水路７における傾斜を付けた底面２３に沿ってリング体３の外周下部に設けた流出口８に流れて、この流出口８から外部へと排出される。
【００３８】
そして、流出口８より排出された薬剤成分は、排水口の内部に設置したストレーナへと流れ、ストレーナ及びその他の排水口内部のヌメリを除去するあるいはヌメリを予防するようになる。
【００３９】
以上のように、排水口用ヌメリ取り器にあっては、リング体３の内部に全周にわたって通水路４の進入用水路６を形成したことにより、少量の排水が流れてきて、リング体３における一部の箇所にしか排水が流れ込まなくても、この進入用水路６によって薬剤収容部１２の収容室１１に確実に流すことができ、よって、少量の排水であっても収容室１１に確実に流して、この収容室１１に収容した薬剤１３を溶解することができ、溶け出した薬剤成分を外部に排出することができる。
【００４０】
しかも、リング体３の内部に通水路４を形成しつつ薬剤収容部１２を複数備えたことで、薬剤１３より溶け出した薬剤成分を、排出用水路７を介してリング体３の全周に流すことができ、これにより、リング体３の全周にわたって設けた流出口８より外部に薬剤成分を良好に排出することができ、例えば排水口の内部に設置したストレーナの全面に薬剤成分を行き渡せることで、ヌメリの除去及び又はヌメリの予防を極めて良好に行うことができる。
【００４１】
また、薬剤収容部１２の個数を２個乃至６個程度にすることにより、大量の薬剤１３の使用をなくすことができる。これにより、商品の価格を安価にすることができ、価格が高くなるといった問題を解消することができると共に、薬剤１３がなくなり再び使用するために薬剤１３を収容する際でも、２個乃至６個程度の少ない個数の薬剤１３を収容するだけなので、その作業を容易なものにし、薬剤１３の収容作業が面倒になるといった問題も解消することができる。
【００４２】
また、リング体３の内部に形成する通水路４において、仕切り壁５により進入用水路６と排出用水路７とに二分割したことで、流れ込んだ排水を進入用水路６によって薬剤収容部１２の収容室１１に流すことができ、また薬剤１３より溶け出した薬剤成分を排出用水路７によってリング体３の全周にわたって設けた流出口８に流すことができ、薬剤収容部１２の収容室１１への排水の流れ及び溶け出した薬剤成分の流出口８から外部への排出といった一連の流れを極めてスムーズに行うことができる。
【００４３】
さらに、この進入用水路６と排出用水路７とおいて、その幅寸法を、１ｍｍ以上１０ｍｍ以下にすることで、進入用水路６では薬剤収容部１２の収容室１１へ流れ込む排水の流量を適量なものすることができると共に、排出用水路７では薬剤１３より溶け出した薬剤成分を排出用水路７全周に行き渡れせることができ、リング体３に設けたすべての流出口８より良好に薬剤成分を外部に排出することができる。これにより、極めて効果的に排水口の内部におけるヌメリの除去及び又はヌメリの予防を行うことがきる。
【図面の簡単な説明】
【００４４】
【図１】本発明による排水口用ヌメリ取り器の上面図である。
【図２】本発明による排水口用ヌメリ取り器の側面図である。
【図３】本発明による排水口用ヌメリ取り器の分解斜視図である。
【図４】本発明による排水口用ヌメリ取り器における薬剤収容部の断面図である。
【図５】本発明による別の排水口用ヌメリ取り器の分解斜視図である。
【図６】図１のＸ−Ｘ部における一部を省略した内周側の展開図である。
【図７】図１のＸ−Ｘ部における外周側の展開図である。
【図８】図６のＡ−Ａ断面図である。
【図９】図６のＢ−Ｂ断面図である。
【図１０】図９の変形例を示すＢ−Ｂ断面図である。
【符号の説明】
【００４５】
１…本体、２…蓋体、３…リング体、４…通水路、５…仕切り壁、６…進入用水路、７…排出用水路、８…流出口、９…進入部、１０…流入口、１１…収容室、１２…薬剤収容部、１３…薬剤、１４…フランジ、１５…小穴、１６…収容室用壁片、１７…排水誘導面、１８…排水用出口、２１…底面、２２…底面、２３…底面
【図１】
2008127776.tif 000003
【図２】
2008127776.tif 000004
【図３】
2008127776.tif 000005
【図４】
2008127776.tif 000006
【図５】
2008127776.tif 000007
【図６】
2008127776.tif 000008
【図７】
2008127776.tif 000009
【図８】
2008127776.tif 000010
【図９】
2008127776.tif 000011
【図１０】
2008127776.tif 000012